(57)【要約】【課題】  地上に配置されるトラフの蓋やマンホールの蓋が風圧、強風や水圧などの外部要因によって、容易に外れないようにした過大内圧解放弁付き蓋を提供する。【解決手段】  過大内圧解放弁付き蓋について、地上に配置される蓋１と、この蓋１の一部に構築される過大内圧解放弁１０とを備え、前記蓋１は円環状の段部２とこの円環状の段部２の中央側に円形の開口３を備え、前記過大内圧解放弁１０は開口１１Ａを有する円環状下部弁部材１１と、円盤状の上部弁部材１２と、前記円環状下部弁部材１１と前記円盤状の上部弁部材１２を繋ぐ棒状部材１３とを有し、前記過大内圧解放弁１０は外部要因の消滅により原状に復帰する復帰手段を具備する。【選択図】  図１
2008285845.tif 000002
【特許請求の範囲】
【請求項１】
（ａ）地上に配置される蓋と、
（ｂ）該蓋の一部に構築される過大内圧解放弁とを備え、
（ｃ）前記蓋は円環状の段部と該円環状の段部の中央側に円形の開口を備え、前記過大内圧解放弁は開口を有する円環状下部弁部材と、円盤状の上部弁部材と、前記円環状下部弁部材と前記円盤状の上部弁部材を繋ぐ棒状部材とを有し、前記過大内圧解放弁は外部要因の消滅により原状に復帰する復帰手段を具備することを特徴とする過大内圧解放弁付き蓋。
【請求項２】
請求項１記載の過大内圧解放弁付き蓋において、前記復帰手段が過大内圧解放弁の自重であることを特徴とする過大内圧解放弁付き蓋。
【請求項３】
請求項１記載の過大内圧解放弁付き蓋において、前記復帰手段が前記蓋の円環状の段部の下面と前記円環状下部弁部材の表面との間に配置される弾性体であることを特徴とする過大内圧解放弁付き蓋。
【請求項４】
請求項１記載の過大内圧解放弁付き蓋において、前記蓋の円環状の段部の下面に円環状の座金を配置し、該円環状の座金と前記円環状下部弁部材の表面との間にコイルスプリングを配置することを特徴とする過大内圧解放弁付き蓋。
【請求項５】
請求項１から４の何れか一項記載の過大内圧解放弁付き蓋において、前記棒状部材は少なくともその外表面に潤滑処理を施した棒状部材であることを特徴とする過大内圧解放弁付き蓋。
【請求項６】
請求項５記載の過大内圧解放弁付き蓋において、前記潤滑処理がテフロン（登録商標）処理であることを特徴とする過大内圧解放弁付き蓋。
【発明の詳細な説明】
【技術分野】
【０００１】
本発明は、過大内圧解放弁付き蓋に係り、特に、蓋の内部と外部との差圧によって蓋が飛ばされる恐れがあるトラフ蓋やマンホール蓋に関するものである。
【背景技術】
【０００２】
従来、鉄道線路の沿線には、図１１，図１２に示すように、電力ケーブルや信号ケーブルなど多種の配線を収納し保護するため、トラフと呼ばれるコンクリート製のＵ型側溝が設置されている。なお、図１１はトラフが閉じている状態が、図１２はトラフが開いている状態が示されている。
【０００３】
通常、トラフはむき出しではなく、トラフ内にゴミや動物等が入らないように、また、沿線巡回時の通路として、トラフの上面はコンクリート製の蓋で覆われている。ただし、トラフ内の点検・配線交換等の作業性を考慮して、トラフの蓋は人力で取り外し・取り付けできる程度の大きさに分割されたものが、連続的に設置される。
【０００４】
現在では、鉄道線路沿いのＵ字形側溝の蓋を、運搬時には軽量で、設置後は列車通過時に移動し飛ばされない重量に調整され、かつひび割れや欠損を生じない側溝用蓋が提案されている（特許文献１参照）。
【０００５】
また、ボール逆止弁とこれを用いた排水制御装置が提案されている（特許文献２参照）。
【特許文献１】特開平９−３１２９２２号公報
【特許文献２】特開２００５−９８４９３号公報
【発明の開示】
【発明が解決しようとする課題】
【０００６】
上記したトラフの蓋は、トラフの近傍を高速で列車が通過することで生じる風圧や圧力変化、さらには天候（台風などによって生じる強風）などの外部要因によって、外れる恐れがある。
【０００７】
図１３はトラフの蓋の上下面に作用する圧力変化から求めた差圧の実測例を示す図である。
【０００８】
列車１０１がトラフの近傍を通過することで、トラフの蓋の上下面には、図１３のような差圧が瞬間的に生じる。特に、この例では、列車の後尾側が通過する際に、トラフの蓋を浮き上がらせる方向（差圧が正）の大きな力となっている。
【０００９】
一方、蓋は自重によって浮き上がる力と対抗している。すなわち、蓋が浮き上がる限界の差圧ΔＰは、以下のように求められる。
【００１０】
ΔＰ＞Ｍｇ／Ｓ＝１３×９．８／０．１２５≒１（ｋＰａ）
ただし、Ｍは蓋の質量、ｇは重力加速度、Ｓは蓋の表面積であり、実際の値は蓋の条件によって異なる。
【００１１】
上記式から、図１３に示した蓋の例では、列車の後尾通過時に生じる１ｋＰａ以上の差圧によって蓋が浮き上がると見積もられ、実際に飛散した箇所の蓋とも符号した。
【００１２】
また、道路に敷設されるマンホールの蓋は、大雨時に急激に排水路へ流れ込んだ水流によって引き起こされる空圧や溢れ出す水圧により外れる恐れがある。
【００１３】
本発明は、上記状況に鑑みて、地上に配置されるトラフの蓋やマンホールの蓋が風圧、強風や水圧などの外部要因によって、容易に外れないようにした過大内圧解放弁付き蓋を提供することを目的とする。
【課題を解決するための手段】
【００１４】
本発明は、上記目的を達成するために、
〔１〕過大内圧解放弁付き蓋について、地上に配置される蓋と、この蓋の一部に構築される過大内圧解放弁とを備え、前記蓋は円環状の段部とこの円環状の段部の中央側に円形の開口を備え、前記過大内圧解放弁は開口を有する円環状下部弁部材と、円盤状の上部弁部材と、前記円環状下部弁部材と前記円盤状の上部弁部材を繋ぐ棒状部材とを有し、前記過大内圧解放弁は外部要因の消滅により原状に復帰する復帰手段を具備することを特徴とする。
【００１５】
〔２〕上記〔１〕記載の過大内圧解放弁付き蓋において、前記復帰手段が過大内圧解放弁の自重であることを特徴とする。
【００１６】
〔３〕上記〔１〕記載の過大内圧解放弁付き蓋において、前記復帰手段が前記蓋の円環状の段部の下面と前記円環状下部弁部材の表面との間に配置される弾性体であることを特徴とする。
【００１７】
〔４〕上記〔１〕記載の過大内圧解放弁付き蓋において、前記蓋の円環状の段部の下面に円環状の座金を配置し、この円環状の座金と前記円環状下部弁部材の表面との間にコイルスプリングを配置することを特徴とする。
【００１８】
〔５〕上記〔１〕から〔４〕の何れか一項記載の過大内圧解放弁付き蓋において、前記棒状部材は少なくともその外表面に潤滑処理を施した棒状部材であることを特徴とする。
【００１９】
〔６〕上記〔５〕記載の過大内圧解放弁付き蓋において、前記潤滑処理がテフロン（登録商標）処理であることを特徴とする。
【発明の効果】
【００２０】
本発明によれば、地上に配置されるトラフの蓋やマンホールの蓋が風圧、天候や水圧などの外部要因によって、容易に外れないようにした過大内圧解放弁付き蓋を提供する。特に、過大内圧解放弁が開いた状態になっても、過大内圧解放弁が開く要因となった外部要因が消滅すると自動的に原状に復することができ、安全である。
【発明を実施するための最良の形態】
【００２１】
本発明の過大内圧解放弁付き蓋は、地上に配置される蓋と、この蓋の一部に構築される過大内圧解放弁とを備え、前記蓋は円環状の段部と該円環状の段部の中央側に円形の開口を備え、前記過大内圧解放弁は開口を有する円環状下部弁部材と、円盤状の上部弁部材と、前記円環状下部弁部材と前記円盤状の上部弁部材を繋ぐ棒状部材とを有し、前記過大内圧解放弁は外部要因の消滅により原状に復帰する復帰手段を具備する。
【実施例】
【００２２】
以下、本発明の実施の形態について詳細に説明する。
【００２３】
図１は本発明の第１実施例を示す過大内圧解放弁付き蓋の斜視図、図２はその過大内圧解放弁付き蓋の過大内圧解放弁が閉まっている状態を示す図、図３はその過大内圧解放弁付き蓋の過大内圧解放弁が上昇して開いている状態を示す図、図４は過大内圧解放弁の斜視図である。
【００２４】
これらの図において、１は蓋であり、この蓋１には円環状の段部２とその内側には蓋の円形の開口３が形成されている。
【００２５】
一方、図４に示すように、蓋１の円環状の段部２とその内側には円形の開口３とに対応するように、過大内圧解放弁１０が設けられている。この過大内圧解放弁１０は開口１１Ａを有し、円環状下部弁部材（重量のある金属部材又はコンクリート部材）１１と円盤状の上部弁部材（重量のある金属部材又はコンクリート部材）１２と、円環状下部弁部材１１と円盤状の上部弁部材１２を繋ぐ棒状部材１３から構成されている。
【００２６】
そこで、図２に示すように、通常は、蓋１の円環状の段部２に過大内圧解放弁１０の上部弁部材１２の円周下部１２Ａが係合されており、蓋１の円形の開口３は過大内圧解放弁１０の上部弁部材１２によって閉じられている。
【００２７】
一方、過大内圧解放弁１０が外部要因により上昇すると、図３に示すように、過大内圧解放弁１０は押し上げられる。すると、過大内圧解放弁１０の円環状下部弁部材１１の上部円周部１１が蓋１の円形の開口３の下部円周部１Ａに当接して、これ以上過大内圧解放弁１０は外に移動することはない。
【００２８】
過大内圧解放弁１０に作用する外部要因が解除されると、過大内圧解放弁１０は、その過大内圧解放弁１０の自重により、図２に示すように、原状に復帰させることができる。
【００２９】
このように、簡便な構造であり、しかも、通常は蓋に配置される過大内圧解放弁は閉じており、ゴミや動物等が入ることもない。
【００３０】
図５は本発明の第２実施例を示す過大内圧解放弁付き蓋の斜視図、図６はその過大内圧解放弁付き蓋の過大内圧解放弁が閉まっている状態を示す図、図７はその過大内圧解放弁付き蓋の過大内圧解放弁が上昇して開いている状態を示す図である。
【００３１】
これらの図に示すように、蓋２１の円環状の段部２２とその内側には蓋の円形の開口２３とに対応するように、過大内圧解放弁３０が設けられている。この過大内圧解放弁３０は開口３１Ａを有する円環状下部弁部材３１と円盤状の上部弁部材３２と、円環状下部弁部材３１と円盤状の上部弁部材３２を繋ぐ表面潤滑性を有する棒状部材３３から構成されている。この表面潤滑性を有する棒状部材３３としては、例えばテフロン（登録商標）性棒状部材を用いることができる。
【００３２】
また、金属棒にテフロン（登録商標）性チューブを被着するようにしてもよい。
【００３３】
図８は本発明の第３実施例を示す過大内圧解放弁付き蓋の斜視図、図９はその過大内圧解放弁付き蓋の過大内圧解放弁が閉まっている状態を示す図、図１０はその過大内圧解放弁付き蓋の過大内圧解放弁が上昇して開いている状態を示す図である。
【００３４】
これらの図に示すように、蓋４１の円環状の段部４２とその内側には蓋の円形の開口４３とに対応するように、過大内圧解放弁５０が設けられている。この過大内圧解放弁５０は開口５１Ａを有する円環状下部弁部材５１と円盤状の上部弁部材５２と、円環状下部弁部材５１と円盤状の上部弁部材５２を繋ぐ棒状部材５３から構成されおり、この棒状部材５３の下部には、円環状座金５４とコイルスプリング５５とが貫通している。
【００３５】
そこで、図９に示すように、通常は、蓋４１の円環状の段部４２に過大内圧解放弁５０の上部弁部材５２の円周下部５２Ａが係合されており、蓋４１の円形の開口４３は過大内圧解放弁５０の円盤状の上部弁部材５２によって閉じられている。
【００３６】
一方、過大内圧解放弁５０が外部要因により上昇すると、図１０に示すように、過大内圧解放弁５０は押し上げられる。すると、過大内圧解放弁５０の円環状下部弁部材５１の棒状部材５３には円環状座金５４とコイルスプリング５５とが貫通しており、コイルスプリング５５が押し縮められた状態で蓋４１の円形の開口４３の下部円周部４１Ａに当接して、これ以上過大内圧解放弁５０は外に移動することはない。
【００３７】
過大内圧解放弁５０に作用する外部要因が解除されると、過大内圧解放弁５０は、コイルスプリング５５の圧縮からの解放力により円環状下部弁部材５１は下方に押し戻されて原状に復帰する。
【００３８】
この実施例によれば、その過大内圧解放弁５０の自重に加えて、コイルスプリング５５の圧縮された状態からの解放力により、迅速的確に過大内圧解放弁５０を復帰させることができる。
【００３９】
なお、本発明は上記実施例に限定されるものではなく、本発明の趣旨に基づき種々の変形が可能であり、これらを本発明の範囲から排除するものではない。
【産業上の利用可能性】
【００４０】
本発明の過大内圧解放弁付き蓋は、外部条件により飛ばされることがなく、しかも自動的に元の位置に復帰できる過大内圧解放弁付き蓋として利用可能である。
【図面の簡単な説明】
【００４１】
【図１】本発明の第１実施例を示す過大内圧解放弁付き蓋の斜視図である。
【図２】本発明の第１実施例を示す過大内圧解放弁付き蓋の過大内圧解放弁付が閉まっている状態を示す図である。
【図３】本発明の第１実施例を示す過大内圧解放弁付き蓋の過大内圧解放弁が上昇して開いている状態を示す図である。
【図４】本発明の第１実施例を示す過大内圧解放弁の斜視図である。
【図５】本発明の第２実施例を示す過大内圧解放弁付き蓋の斜視図である。
【図６】本発明の第２実施例を示す過大内圧解放弁付き蓋の過大内圧解放弁が閉まっている状態を示す図である。
【図７】本発明の第２実施例を示す過大内圧解放弁付き蓋の過大内圧解放弁が上昇して開いている状態を示す図である。
【図８】本発明の第３実施例を示す過大内圧解放弁付き蓋の斜視図である。
【図９】本発明の第３実施例を示す過大内圧解放弁付き蓋の過大内圧解放弁が閉まっている状態を示す図である。
【図１０】本発明の第３実施例を示す過大内圧解放弁付き蓋の過大内圧解放弁が上昇して開いている状態を示す図である。
【図１１】従来のトラフが閉じている状態を示す図である。
【図１２】従来のトラフが開いている状態を示す図である。
【図１３】従来のトラフの蓋の上下面に作用する差圧の実測例を示す図である。
【符号の説明】
【００４２】
１，２１，４１    蓋
２，２２，４２    円環状の段部
３，２３，４３，５２    蓋の円形の開口
１０，３０，５０    過大内圧解放弁
１１，３１，５１    円環状下部弁部材
１１Ａ，３１Ａ，５１Ａ    円環状下部弁部材の開口
１２，３２，５２    円盤状の上部弁部材
１３，３３，５３    棒状部材
３３    棒状部材［テフロン（登録商標）性棒状部材］
４１Ａ    下部円周部
５４    円環状座金
５５    コイルスプリング
５２Ａ    上部弁部材の円周下部
【図１】
2008285845.tif 000003
【図２】
2008285845.tif 000004
【図３】
2008285845.tif 000005
【図４】
2008285845.tif 000006
【図５】
2008285845.tif 000007
【図６】
2008285845.tif 000008
【図７】
2008285845.tif 000009
【図８】
2008285845.tif 000010
【図９】
2008285845.tif 000011
【図１０】
2008285845.tif 000012
【図１３】
2008285845.tif 000013
【図１１】
2008285845.tif 000014
【図１２】
2008285845.tif 000015